(57)【要約】【課題】  基準となる位置の高度を正確に把握し、さらに、環境気圧の影響のない環境情報処理システム及び環境情報処理方法等を提供すること。【解決手段】  環境情報提供装置４０は、環境情報表示装置用補正情報を生成するための補正情報生成情報を格納するための補正情報生成情報格納手段１４８等を有し、環境情報表示装置２０は、環境情報表示装置用補正情報の特定位置気圧情報と現在気圧情報に基づいて、差分である気圧差情報を生成するための気圧差情報生成情報を格納するための気圧差情報生成情報格納手段１３０と、気圧差情報を高度情報である高度差情報に変換するための気圧高度差情報変換情報を格納するための気圧高度差情報変換情報格納手段１３０と、高度差情報に基づいて現在高度情報を修正し修正現在高度情報を生成するための修正現在高度情報生成情報を格納するための修正現在高度情報生成情報格納手段１３０と、を有する。【選択図】図６
2005195534.tif 000002
【特許請求の範囲】
【請求項１】
特定の位置に配置される環境情報提供装置と、
携帯可能な環境情報表示装置と、を有する環境情報処理システムであって、
前記環境情報提供装置は、
前記特定の位置における気圧である特定位置気圧情報を取得するための特定位置気圧情報取得手段と、
提供装置制御部と、
前記提供装置制御部が前記特定位置気圧情報と前記特定位置の位置情報とに基づいて環境情報表示装置用補正情報を生成するための補正情報生成情報を格納するための補正情報生成情報格納手段と、
前記環境情報表示装置と通信するための提供装置側送受信手段と、を有し、  
前記環境情報表示装置は、
前記環境情報提供装置と通信するための表示装置側送受信手段と、
前記環境情報表示装置の現在位置における現在気圧情報を取得するための現在気圧情報取得手段と、
表示装置制御部と、
前記表示装置制御部が前記現在気圧情報に基づいて現在高度情報を生成するための現在高度情報生成情報を格納するための現在高度情報生成情報格納手段と、
前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成するための気圧差情報生成情報を格納するための気圧差情報生成情報格納手段と、
前記表示装置制御部が前記気圧差情報を高度情報である高度差情報に変換するための気圧高度差情報変換情報を格納するための気圧高度差情報変換情報格納手段と、
前記表示装置制御部が前記高度差情報に基づいて前記現在高度情報を修正し修正現在高度情報を生成するための修正現在高度情報生成情報を格納するための修正現在高度情報生成情報格納手段と、を有することを特徴とする環境情報処理システム。
【請求項２】
前記環境情報表示装置は、
位置情報衛星からの信号を取得するための位置情報取得手段と、
前記表示装置制御部が前記修正現在高度情報と、前記環境情報提供装置の特定の位置における位置情報とに基づいて、前記環境情報表示装置の初期位置情報を生成するための初期位置情報生成情報を格納するための初期位置情報生成情報格納手段と、
前記環境情報表示装置の初期位置情報を前記位置情報取得手段に入力するための初期位置情報入力手段と、
前記位置情報取得手段によって取得した前記環境情報表示装置の位置情報を表示する表示手段と、
を有することを特徴とする請求項１に記載の環境情報処理システム。
【請求項３】
前記環境情報表示装置は、
前記表示装置制御部が時間経過に対応する気圧の変化である時間気圧変化情報を生成するための時間気圧変化情報生成情報を格納するための時間気圧変化情報生成情報格納手段と、
前記表示装置制御部が時間経過に対応する高度の変化である時間高度変化情報を生成するための時間高度変化情報生成情報を格納するための時間高度変化情報生成情報格納手段と、
前記表示装置制御部が前記時間高度変化情報に対応する気圧の変化である高度気圧変化情報を生成するための高度気圧変化情報生成情報を格納するための高度気圧変化情報生成情報格納手段と、
前記表示装置制御部が前記時間気圧変化情報と前記高度気圧変化情報に基づいて大気気圧の変化の情報である大気気圧変化情報を生成するための大気気圧変化情報生成情報を格納するための大気気圧変化情報生成情報格納手段と、
前記表示装置制御部が前記大気気圧変化情報に基づいて天気変化の予測である天気変化情報を生成するための天気変化情報生成情報を格納する天気変化情報生成情報格納手段と、
前記天気変化情報を表示する天気変化情報表示手段と、を有することを特徴とする、請求項２に記載の環境情報処理システム。
【請求項４】
特定の位置に配置される環境情報提供装置と、
携帯可能な環境情報表示装置と、を有する環境情報処理システムに用いられる環境情報提供装置であって、
前記環境情報提供装置は、
前記特定の位置における気圧である特定位置気圧情報を取得するための特定位置気圧情報取得手段と、
提供装置制御部と、
前記提供装置制御部が前記特定位置気圧情報と前記特定位置の位置情報とに基づいて環境情報表示装置用補正情報を生成するための情報である補正情報生成情報を格納するための補正情報生成情報格納手段と、
前記環境情報表示装置と通信するための提供装置側送受信手段と、を有し、  
前記環境情報表示装置は、
前記環境情報提供装置と通信するための表示装置側送受信手段と、
前記環境情報表示装置の現在位置における現在気圧情報を取得するための現在気圧情報取得手段と、
表示装置制御部と、
前記表示装置制御部が前記現在気圧情報に基づいて現在高度情報を生成するための現在高度情報生成情報を格納するための現在高度情報生成情報格納手段と、
前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成するための気圧差情報生成情報を格納するための気圧差情報生成情報格納手段と、
前記表示装置制御部が前記気圧差情報を高度情報である高度差情報に変換するための気圧高度差情報変換情報を格納するための気圧高度差情報変換情報格納手段と、
前記表示装置制御部が前記高度差情報に基づいて前記現在高度情報を修正し修正現在高度情報を生成するための修正現在高度情報生成情報を格納するための修正現在高度情報生成情報格納手段と、を有することを特徴とする環境情報提供装置。
【請求項５】
前記環境情報表示装置は、
位置情報衛星からの信号を取得するための位置情報取得手段と、
前記表示装置制御部が前記修正現在高度情報と、前記環境情報提供装置の特定の位置における位置情報とに基づいて、前記環境情報表示装置の初期位置情報を生成するための初期位置情報生成情報を格納するための初期位置情報生成情報格納手段と、
前記環境情報表示装置の初期位置情報を前記位置情報取得手段に入力するための初期位置情報入力手段と、
前記位置情報取得手段によって取得した前記環境情報表示装置の位置情報を表示する表示手段と、
を有することを特徴とする請求項４に記載の環境情報提供装置。
【請求項６】
前記環境情報表示装置は、
前記表示装置制御部が時間経過に対応する気圧の変化である時間気圧変化情報を生成するための時間気圧変化情報生成情報を格納するための時間気圧変化情報生成情報格納手段と、
前記表示装置制御部が時間経過に対応する高度の変化である時間高度変化情報を生成するための時間高度変化情報生成情報を格納するための時間高度変化情報生成情報格納手段と、
前記表示装置制御部が前記高度変化情報に対応する気圧の変化である高度気圧変化情報を生成するための高度気圧変化情報生成情報を格納するための高度気圧変化情報生成情報格納手段と、
前記表示装置制御部が前記時間気圧変化情報と前記時間高度気圧変化情報に基づいて大気気圧の変化の情報である大気気圧変化情報を生成するための大気気圧変化情報生成情報を格納するための大気気圧変化情報生成情報格納手段と、
前記表示装置制御部が前記大気気圧変化情報に基づいて天気変化の予測である天気変化情報を生成するための天気変化情報生成情報を格納する天気変化情報生成情報格納手段と、
前記天気変化情報を表示する天気変化情報表示手段を有することを特徴とする、請求項５に記載の環境情報提供装置。
【請求項７】
特定の位置に配置される環境情報提供装置と、
携帯可能な環境情報表示装置と、を有する環境情報処理システムに用いられる環境情報表示装置であって、
前記環境情報提供装置は、
前記特定の位置における気圧である特定位置気圧情報を取得するための特定位置気圧情報取得手段と、
提供装置制御部と、
前記提供装置制御部が前記特定位置気圧情報と前記特定位置の位置情報とに基づいて環境情報表示装置用補正情報を生成するための情報である補正情報生成情報を格納するための補正情報生成情報格納手段と、
前記環境情報表示装置と通信するための提供装置側送受信手段と、を有し、  
前記環境情報表示装置は、
前記環境情報提供装置と通信するための表示装置側送受信手段と、
前記環境情報表示装置の現在位置における現在気圧情報を取得するための現在気圧情報取得手段と、
表示装置制御部と、
前記表示装置制御部が前記現在気圧情報に基づいて現在高度情報を生成するための現在高度情報生成情報を格納するための現在高度情報生成情報格納手段と、
前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成するための気圧差情報生成情報を格納するための気圧差情報生成情報格納手段と、
前記表示装置制御部が前記気圧差情報を高度情報である高度差情報に変換するための気圧高度差情報変換情報を格納するための気圧高度差情報変換情報格納手段と、
前記表示装置制御部が前記高度差情報に基づいて前記現在高度情報を修正し修正現在高度情報を生成するための修正現在高度情報生成情報を格納するための修正現在高度情報生成情報格納手段と、を有することを特徴とする環境情報表示装置。
【請求項８】
前記環境情報表示装置は、
位置情報衛星からの信号を取得するための位置情報取得手段と、
前記表示装置制御部が前記修正現在高度情報と、前記環境情報提供装置の特定の位置における位置情報とに基づいて、前記環境情報表示装置の初期位置情報を生成するための初期位置情報生成情報を格納するための初期位置情報生成情報格納手段と、
前記環境情報表示装置の初期位置情報を前記位置情報取得手段に入力するための初期位置情報入力手段と、
前記位置情報取得手段によって取得した前記環境情報表示装置の位置情報を表示する表示手段と、
を有することを特徴とする請求項７に記載の環境情報表示装置。
【請求項９】
前記環境情報表示装置は、
前記表示装置制御部が時間経過に対応する気圧の変化である時間気圧変化情報を生成するための時間気圧変化情報生成情報を格納するための時間気圧変化情報生成情報格納手段と、
前記表示装置制御部が時間経過に対応する高度の変化である時間高度変化情報を生成するための時間高度変化情報生成情報を格納するための時間高度変化情報生成情報格納手段と、
前記表示装置制御部が前記時間高度変化情報に対応する気圧の変化である高度気圧変化情報を生成するための高度気圧変化情報生成情報を格納するための高度気圧変化情報生成情報格納手段と、
前記表示装置制御部が前記時間気圧変化情報と前記高度気圧変化情報に基づいて大気気圧の変化の情報である大気気圧変化情報を生成するための大気気圧変化情報生成情報を格納するための大気気圧変化情報生成情報格納手段と、
前記表示装置制御部が前記大気気圧変化情報に基づいて天気変化の予測である天気変化情報を生成するための天気変化情報生成情報を格納する天気変化情報生成情報格納手段と、
前記天気変化情報を表示する天気変化情報表示手段を有することを特徴とする、請求項８に記載の環境情報表示装置。
【請求項１０】
特定の位置に配置される環境情報提供装置と、
携帯可能な環境情報表示装置と、を使用する環境情報処理方法において、
前記環境情報提供装置が前記特定の位置における気圧である特定位置気圧情報を取得する特定位置気圧情報取得ステップと、
前記環境情報提供装置を制御する提供装置制御部が前記特定位置気圧情報と前記特定位置の位置情報とに基づいて環境情報表示装置用補正情報を生成する補正情報生成ステップと、
前記環境情報提供装置が前記環境情報表示装置から前記環境情報表示装置用補正情報の送信要求を受信する補正情報送信要求受信ステップと、
前記環境情報提供装置が前記環境情報表示装置へ前記環境情報表示装置用補正情報を送信する補正情報送信ステップと、  
前記環境情報表示装置が前記環境情報提供装置へ前記環境情報表示装置用補正情報の送信要求を送信する補正情報送信要求送信ステップと、
前記環境情報表示装置が前記環境情報提供装置から前記環境情報表示装置用補正情報を受信する補正情報受信ステップと、
前記環境情報表示装置が前記環境情報表示装置の現在位置における気圧である現在気圧情報を取得する現在気圧情報取得ステップと、
前記環境情報表示装置を制御する表示装置制御部が前記現在気圧情報に基づいて現在高度情報を生成する現在高度情報生成ステップと、
前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成する気圧差情報生成ステップと、
前記表示装置制御部が前記気圧差情報を高度情報である高度差情報に変換する気圧高度差情報変換ステップと、
前記表示装置制御部が前記高度差情報に基づいて前記現在高度情報を修正し修正現在高度情報を生成する修正現在高度情報生成ステップと、を有することを特徴とする環境情報処理方法。
【請求項１１】
前記表示装置制御部が前記修正現在高度情報と、前記環境情報提供装置の特定の位置における位置情報とに基づいて、前記環境情報表示装置の初期位置情報を生成する初期位置情報生成ステップと、
前記環境情報表示装置が前記環境情報表示装置の初期位置情報を位置情報衛星からの信号を取得するための前記位置情報取得手段に入力する初期位置情報入力ステップと、
前記環境情報表示装置が前記位置情報衛星からの信号を取得する位置情報取得ステップと、
前記環境情報表示装置が前記位置情報取得手段によって取得した前記環境情報表示装置の位置情報を表示する表示ステップと、
を有することを特徴とする請求項１０に記載の環境情報処理方法。
【請求項１２】
前記表示装置制御部が時間経過に対応する気圧の変化である時間気圧変化情報を生成する時間気圧変化情報生成ステップと、
前記表示装置制御部が時間経過に対応する高度の変化である時間高度変化情報を生成する時間高度変化情報生成ステップと、
前記表示装置制御部が前記時間高度変化情報に対応する気圧の変化である高度気圧変化情報を生成するための高度気圧変化情報を生成する高度気圧変化情報生成ステップと、
前記表示装置制御部が前記時間気圧変化情報と前記高度気圧変化情報に基づいて大気気圧の変化の情報である大気気圧変化情報を生成する大気気圧変化情報生成ステップと、
前記表示装置制御部が前記大気気圧変化情報に基づいて天気変化の予測である天気変化情報を生成する天気変化情報生成ステップと、
前記環境情報表示装置が前記天気変化情報を表示する天気変化情報表示ステップと、を有することを特徴とする、請求項１１に記載の環境情報処理方法。
【発明の詳細な説明】
【技術分野】
【０００１】
本発明は、端末装置の位置を含む環境情報を処理するための環境情報処理システム、環境情報提供装置、環境情報表示装置、及び環境情報処理方法に関するものである。
【背景技術】
【０００２】
従来、たとえば腕時計などに組み込まれる気圧高度計は、Ｉ．Ｃ．Ａ．Ｏ．標準大気（１０１３．２５ｈＰａ、気温摂氏１５度を海抜０メートルと定めており、以下、標準大気と呼ぶ）をモデルとしており、標準大気における気圧と高度の関係を利用して、気圧の変化から高度を算出するようになっている。つまり、気圧高度計は、気圧の変化を高度の変化に変換して表示している。
【０００３】
ところが、気圧高度計の使用者が存在する地域が低気圧帯に入るなど、静止していても環境気圧が変動する場合、実際には移動していないにもかかわらず、気圧高度計が算出する高度が変動するという問題がある。
これに対して、気圧高度計の使用者は、正確な高度の基準となる点（三角点、一等水準点、正確な地図上の高度など）において、その正確な高度と気圧高度計の表示高度を合わせる、いわゆる高度補正をして対処している。
【０００４】
また、気圧高度計が静止状態にあるときの第１の高度を固定し、その後の移動開始時の気圧と移動停止時の気圧の差に基づく高度差を、第１の高度に加えることによって、環境気圧の影響の少ない気圧高度を算出する気圧高度計が提案されている（たとえば、特許文献１、図２等）。
【特許文献１】特開２００２−２６７４４３
【発明の開示】
【発明が解決しようとする課題】
【０００５】
しかし、正確な高度の基準となる基準点は、三角点などに限定されている。そこで、従来技術においては、気圧高度計の使用者はその基準点まで移動して高度補正を行う必要がある。また、気圧高度計の使用者が道に迷った場合には、その基準点に行き着くことができず、高度補正ができないという問題がある。
【０００６】
また、気圧高度計が静止状態にあるときの第１の高度を固定し、その後の移動開始時の気圧と移動停止時の気圧の差に基づく高度差を、第１の高度に加えることによって、気圧高度を算出する方法においても環境気圧の変動の影響は回避できていない。すなわち、移動開始時と移動停止時の間にも環境気圧は変動している以上、移動開始時の気圧と移動停止時の気圧の差には高度による気圧変化以外にも環境変動による気圧変化も含まれているのであるから、環境気圧の変動の影響を受けるのである。
【０００７】
そこで、本発明は、基準となる位置の高度を正確に把握し、さらに、環境気圧の影響のない環境情報処理システム、環境情報提供装置、環境情報表示装置、及び環境情報処理方法を提供することを目的とする。
【課題を解決するための手段】
【０００８】
前記目的は、第１の発明によれば、特定の位置に配置される環境情報提供装置と、携帯可能な環境情報表示装置と、を有する環境情報処理システムであって、前記環境情報提供装置は、前記特定の位置における気圧である特定位置気圧情報を取得するための特定位置気圧情報取得手段と、提供装置制御部と、前記提供装置制御部が前記特定位置気圧情報と前記特定位置の位置情報とに基づいて環境情報表示装置用補正情報を生成するための補正情報生成情報を格納するための補正情報生成情報格納手段と、前記環境情報表示装置と通信するための提供装置側送受信手段と、を有し、前記環境情報表示装置は、前記環境情報提供装置と通信するための表示装置側送受信手段と、前記環境情報表示装置の現在位置における現在気圧情報を取得するための現在気圧情報取得手段と、表示装置制御部と、前記表示装置制御部が前記現在気圧情報に基づいて現在高度情報を生成するための現在高度情報生成情報を格納するための現在高度情報生成情報格納手段と、前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成するための気圧差情報生成情報を格納するための気圧差情報生成情報格納手段と、前記表示装置制御部が前記気圧差情報を高度情報である高度差情報に変換するための気圧高度差情報変換情報を格納するための気圧高度差情報変換情報格納手段と、前記表示装置制御部が前記高度差情報に基づいて前記現在高度情報を修正し修正現在高度情報を生成するための修正現在高度情報生成情報を格納するための修正現在高度情報生成情報格納手段と、を有することを特徴とする環境情報処理システムによって達成される。
【０００９】
第１の発明の構成によれば、前記提供装置制御部が前記特定位置気圧情報と前記特定位置の位置情報とに基づいて環境情報表示装置用補正情報を生成する。
【００１０】
そして、前記環境情報表示装置は、前記表示装置側送受信手段によって、前記環境情報提供装置から前記環境情報表示装置用補正情報を取得することができる。
一方で、前記環境情報表示装置は、前記現在気圧情報取得手段によって、前記環境情報表示装置の現在位置における気圧である現在気圧情報を取得することができる。
また、前記表示装置制御部が前記現在気圧情報に基づいて現在高度情報を生成する。
【００１１】
そして、前記表示装置制御部が、前記環境情報表示装置用補正情報の前記特定位置気圧情報と前記現在気圧情報に基づいて、前記特定位置気圧情報と前記現在気圧情報との差分である気圧差情報を生成する。
【００１２】
さらに、前記表示装置制御部が前記気圧差情報を高度情報である高度差情報に変換し、その高度差情報に基づいて前記現在高度情報を修正し修正現在高度情報を生成する。
これにより、前記環境情報表示装置は、正確な前記環境表示装置の高度を取得することができるのである。
このため、前記環境表示装置の使用者は、正確な高度の基準となる基準点である例えば、三角点などに移動しなくても、高度補正を行うことができる。また、前記環境表示装置の使用者が道に迷った場合でも、その基準点に行くことなく、高度補正ができる。
【００１３】
ここで、前記環境情報表示装置は前記環境情報提供装置と通信可能な限られた領域、例えば、前記環境情報表示装置が携帯電話機であって、前記環境情報提供装置がその基地局である場合には、一つの基地局がカバーする携帯電話機と通信可能領域は限定された地域の範囲である。すなわち、前記環境情報表示装置の位置と前記環境情報提供装置の位置とでは、環境気圧は略同一である。これは、前記特定位置気圧情報と前記現在気圧情報の差は、環境気圧の影響は受けず、高度差のみが反映していることを意味する。
【００１４】
これにより、第１の発明によれば、基準となる位置の高度を正確に把握し、さらに、環境気圧の影響のない環境情報処理システムを提供することができるのである。
【００１５】
第２の発明は、第１の発明の構成において、前記環境情報表示装置は、位置情報衛星からの信号を取得するための位置情報取得手段と、前記表示装置制御部が前記修正現在高度情報と、前記環境情報提供装置の特定の位置における位置情報とに基づいて、前記環境情報表示装置の初期位置情報を生成するための初期位置情報生成情報を格納するための初期位置情報生成情報格納手段と、前記環境情報表示装置の初期位置情報を前記位置情報取得手段に入力するための初期位置情報入力手段と、前記位置情報取得手段によって取得した前記環境情報表示装置の位置情報を表示する表示手段と、を有することを特徴とする。  
【００１６】
第２の発明の構成によれば、前記表示装置制御部が前記修正現在高度情報と、前記環境情報提供装置の特定の位置における位置情報とに基づいて、前記環境情報表示装置の初期位置情報を生成することができる。
【００１７】
すなわち、前記位置情報衛星からの信号を取得するためには前記位置情報衛星を探索する必要がある。ここで、あらかじめ前記環境情報提供装置が保有している前記位置情報衛星の軌道情報と前記初期位置情報を照合することで、前記位置情報衛星と前記環境情報提供装置の相対的位置を取得することができる。そして、前記初期位置情報に含まれる前記環境情報表示装置の高度情報は、修正現在高度情報であるから正確である。
【００１８】
これにより、前記環境情報表示装置は、前記位置情報衛星を迅速に探索し、捕捉することができるから、前記環境情報表示装置の位置情報を迅速に取得することができる。その結果として、測位時間を短縮できるのである。
また、前記環境情報表示装置は、前記位置情報衛星から前記環境情報表示装置の位置情報を迅速に取得することができるから、前記環境情報表示装置の動力源であるたとえば、バッテリの消耗をその分少なくすることができる。
【００１９】
第３の発明は、第２の発明の構成において、前記環境情報表示装置は、前記表示装置制御部が時間経過に対応する気圧の変化である時間気圧変化情報を生成するための時間気圧変化情報生成情報を格納するための時間気圧変化情報生成情報格納手段と、前記表示装置制御部が時間経過に対応する高度の変化である時間高度変化情報を生成するための時間高度変化情報生成情報を格納するための時間高度変化情報生成情報格納手段と、前記表示装置制御部が前記時間高度変化情報に対応する気圧の変化である高度気圧変化情報を生成するための高度気圧変化情報生成情報を格納するための高度気圧変化情報生成情報格納手段と、前記表示装置制御部が前記時間気圧変化情報と前記高度気圧変化情報に基づいて大気気圧の変化の情報である大気気圧変化情報を生成するための大気気圧変化情報生成情報を格納するための大気気圧変化情報生成情報格納手段と、前記表示装置制御部が前記大気気圧変化情報に基づいて天気変化の予測である天気変化情報を生成するための天気変化情報生成情報を格納する天気変化情報生成情報格納手段と、前記天気変化情報を表示する天気変化情報表示手段と、を有することを特徴とする。
【００２０】
第３の発明の構成によれば、前記表示装置制御部が前記時間気圧変化情報と前記高度気圧変化情報に基づいて大気気圧変化情報を生成することができる。
このため、前記時間気圧変化情報に環境気圧の変化の情報と高度変化による気圧の変化の情報が含まれている場合は、前記時間気圧変化情報と前記時間高度気圧変化情報を照合することによって、前記時間気圧変化情報を環境気圧の変化だけを反映した大気気圧変化情報として生成することができる。
さらに、前記環境情報表示装置は、前記大気気圧変化情報に基づいて天気変化の予測である天気変化情報を生成し、その天気変化情報を表示する天気変化情報表示手段を有する。
【００２１】
このため、前記環境情報表示装置は、移動によって高度が変化し、その高度変化の結果として気圧が変化したとしても、その高度変化による気圧変化を除いた、大気圧の変化だけを取得することができる。
そして、前記環境情報表示装置は、正確な環境気圧の変化を取得し、例えば、低気圧傾向の場合には、天気が曇りや雨に変化することを予測し、その天気変化情報を表示することができる。  
これにより、前記環境情報表示装置の使用者は、移動によって高度が変化しても、正確な環境気圧の変化に基づいた天気変化情報を取得できるのである。
【００２２】
前記目的は、第４の発明によれば、特定の位置に配置される環境情報提供装置と、携帯可能な環境情報表示装置と、を有する環境情報処理システムに用いられる環境情報提供装置であって、前記環境情報提供装置は、前記特定の位置における気圧である特定位置気圧情報を取得するための特定位置気圧情報取得手段と、提供装置制御部と、前記提供装置制御部が前記特定位置気圧情報と前記特定位置の位置情報とに基づいて環境情報表示装置用補正情報を生成するための情報である補正情報生成情報を格納するための補正情報生成情報格納手段と、前記環境情報表示装置と通信するための提供装置側送受信手段と、を有し、前記環境情報表示装置は、前記環境情報提供装置と通信するための表示装置側送受信手段と、前記環境情報表示装置の現在位置における現在気圧情報を取得するための現在気圧情報取得手段と、表示装置制御部と、前記表示装置制御部が前記現在気圧情報に基づいて現在高度情報を生成するための現在高度情報生成情報を格納するための現在高度情報生成情報格納手段と、前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成するための気圧差情報生成情報を格納するための気圧差情報生成情報格納手段と、前記表示装置制御部が前記気圧差情報を高度情報である高度差情報に変換するための気圧高度差情報変換情報を格納するための気圧高度差情報変換情報格納手段と、前記表示装置制御部が前記高度差情報に基づいて前記現在高度情報を修正し修正現在高度情報を生成するための修正現在高度情報生成情報を格納するための修正現在高度情報生成情報格納手段と、を有することを特徴とする環境情報提供装置によって達成される。
【００２３】
第５の発明は、第４の発明の構成において、前記環境情報表示装置は、位置情報衛星からの信号を取得するための位置情報取得手段と、前記表示装置制御部が前記修正現在高度情報と、前記環境情報提供装置の特定の位置における位置情報とに基づいて、前記環境情報表示装置の初期位置情報を生成するための初期位置情報生成情報を格納するための初期位置情報生成情報格納手段と、前記環境情報表示装置の初期位置情報を前記位置情報取得手段に入力するための初期位置情報入力手段と、前記位置情報取得手段によって取得した前記環境情報表示装置の位置情報を表示する表示手段と、を有することを特徴とする。
【００２４】
第６の発明は、第５の発明の構成において、前記環境情報表示装置は、前記表示装置制御部が時間経過に対応する気圧の変化である時間気圧変化情報を生成するための時間気圧変化情報生成情報を格納するための時間気圧変化情報生成情報格納手段と、前記表示装置制御部が時間経過に対応する高度の変化である時間高度変化情報を生成するための時間高度変化情報生成情報を格納するための時間高度変化情報生成情報格納手段と、前記表示装置制御部が前記高度変化情報に対応する気圧の変化である高度気圧変化情報を生成するための高度気圧変化情報生成情報を格納するための高度気圧変化情報生成情報格納手段と、
前記表示装置制御部が前記時間気圧変化情報と前記時間高度気圧変化情報に基づいて大気気圧の変化の情報である大気気圧変化情報を生成するための大気気圧変化情報生成情報を格納するための大気気圧変化情報生成情報格納手段と、前記表示装置制御部が前記大気気圧変化情報に基づいて天気変化の予測である天気変化情報を生成するための天気変化情報生成情報を格納する天気変化情報生成情報格納手段と、前記天気変化情報を表示する天気変化情報表示手段を有することを特徴とする。
【００２５】
前記目的は、第７の発明によれば、特定の位置に配置される環境情報提供装置と、携帯可能な環境情報表示装置と、を有する環境情報処理システムに用いられる環境情報表示装置であって、前記環境情報提供装置は、前記特定の位置における気圧である特定位置気圧情報を取得するための特定位置気圧情報取得手段と、提供装置制御部と、前記提供装置制御部が前記特定位置気圧情報と前記特定位置の位置情報とに基づいて環境情報表示装置用補正情報を生成するための情報である補正情報生成情報を格納するための補正情報生成情報格納手段と、前記環境情報表示装置と通信するための提供装置側送受信手段と、を有し、前記環境情報表示装置は、前記環境情報提供装置と通信するための表示装置側送受信手段と、前記環境情報表示装置の現在位置における現在気圧情報を取得するための現在気圧情報取得手段と、表示装置制御部と、前記表示装置制御部が前記現在気圧情報に基づいて現在高度情報を生成するための現在高度情報生成情報を格納するための現在高度情報生成情報格納手段と、前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成するための気圧差情報生成情報を格納するための気圧差情報生成情報格納手段と、前記表示装置制御部が前記気圧差情報を高度情報である高度差情報に変換するための気圧高度差情報変換情報を格納するための気圧高度差情報変換情報格納手段と、前記表示装置制御部が前記高度差情報に基づいて前記現在高度情報を修正し修正現在高度情報を生成するための修正現在高度情報生成情報を格納するための修正現在高度情報生成情報格納手段と、を有することを特徴とする環境情報表示装置によって達成される。
【００２６】
第８の発明は、第７の発明の構成において、前記環境情報表示装置は、位置情報衛星からの信号を取得するための位置情報取得手段と、
前記表示装置制御部が前記修正現在高度情報と、前記環境情報提供装置の特定の位置における位置情報とに基づいて、前記環境情報表示装置の初期位置情報を生成するための初期位置情報生成情報を格納するための初期位置情報生成情報格納手段と、
前記環境情報表示装置の初期位置情報を前記位置情報取得手段に入力するための初期位置情報入力手段と、
前記位置情報取得手段によって取得した前記環境情報表示装置の位置情報を表示する表示手段と、
を有することを特徴とする。
【００２７】
第９の発明は、第８の発明の構成において、前記環境情報表示装置は、前記表示装置制御部が時間経過に対応する気圧の変化である時間気圧変化情報を生成するための時間気圧変化情報生成情報を格納するための時間気圧変化情報生成情報格納手段と、前記表示装置制御部が時間経過に対応する高度の変化である時間高度変化情報を生成するための時間高度変化情報生成情報を格納するための時間高度変化情報生成情報格納手段と、前記表示装置制御部が前記時間高度変化情報に対応する気圧の変化である高度気圧変化情報を生成するための高度気圧変化情報生成情報を格納するための高度気圧変化情報生成情報格納手段と、前記表示装置制御部が前記時間気圧変化情報と前記高度気圧変化情報に基づいて大気気圧の変化の情報である大気気圧変化情報を生成するための大気気圧変化情報生成情報を格納するための大気気圧変化情報生成情報格納手段と、前記表示装置制御部が前記大気気圧変化情報に基づいて天気変化の予測である天気変化情報を生成するための天気変化情報生成情報を格納する天気変化情報生成情報格納手段と、前記天気変化情報を表示する天気変化情報表示手段を有することを特徴とする。
【００２８】
前記目的は、第１０の発明によれば、特定の位置に配置される環境情報提供装置と、携帯可能な環境情報表示装置と、を使用する環境情報処理方法において、前記環境情報提供装置が前記特定の位置における気圧である特定位置気圧情報を取得する特定位置気圧情報取得ステップと、前記環境情報提供装置を制御する提供装置制御部が前記特定位置気圧情報と前記特定位置の位置情報とに基づいて環境情報表示装置用補正情報を生成する補正情報生成ステップと、前記環境情報提供装置が前記環境情報表示装置から前記環境情報表示装置用補正情報の送信要求を受信する補正情報送信要求受信ステップと、前記環境情報提供装置が前記環境情報表示装置へ前記環境情報表示装置用補正情報を送信する補正情報送信ステップと、前記環境情報表示装置が前記環境情報提供装置へ前記環境情報表示装置用補正情報の送信要求を送信する補正情報送信要求送信ステップと、前記環境情報表示装置が前記環境情報提供装置から前記環境情報表示装置用補正情報を受信する補正情報受信ステップと、前記環境情報表示装置が前記環境情報表示装置の現在位置における気圧である現在気圧情報を取得する現在気圧情報取得ステップと、前記環境情報表示装置を制御する表示装置制御部が前記現在気圧情報に基づいて現在高度情報を生成する現在高度情報生成ステップと、前記表示装置制御部が前記環境情報提供装置から取得した前記環境情報表示装置用補正情報の前記特定位置気圧情報と前記現在気圧情報に基づいて、前記特定位置気圧情報と前記現在気圧情報との差分である気圧差情報を生成する気圧差情報生成ステップと、前記表示装置制御部が前記気圧差情報を高度情報である高度差情報に変換する気圧高度差情報変換ステップと、前記表示装置制御部が前記高度差情報に基づいて前記現在高度情報を修正し修正現在高度情報を生成する修正現在高度情報生成ステップと、を有することを特徴とする環境情報処理方法によって達成される。
【００２９】
第１１の発明は、第１０の発明の構成において、前記表示装置制御部が前記修正現在高度情報と、前記環境情報提供装置の特定の位置における位置情報とに基づいて、前記環境情報表示装置の初期位置情報を生成する初期位置情報生成ステップと、前記環境情報表示装置が前記環境情報表示装置の初期位置情報を位置情報衛星からの信号を取得するための前記位置情報取得手段に入力する初期位置情報入力ステップと、前記環境情報表示装置が前記位置情報衛星からの信号を取得する位置情報取得ステップと、前記環境情報表示装置が前記位置情報取得手段によって取得した前記環境情報表示装置の位置情報を表示する表示ステップと、を有することを特徴とする。
【００３０】
第１２の発明は、第１１の発明の構成において、前記表示装置制御部が時間経過に対応する気圧の変化である時間気圧変化情報を生成する時間気圧変化情報生成ステップと、前記表示装置制御部が時間経過に対応する高度の変化である時間高度変化情報を生成する時間高度変化情報生成ステップと、前記表示装置制御部が前記時間高度変化情報に対応する気圧の変化である高度気圧変化情報を生成するための高度気圧変化情報を生成する高度気圧変化情報生成ステップと、前記表示装置制御部が前記時間気圧変化情報と前記高度気圧変化情報に基づいて大気気圧の変化の情報である大気気圧変化情報を生成する大気気圧変化情報生成ステップと、前記表示装置制御部が前記大気気圧変化情報に基づいて天気変化の予測である天気変化情報を生成する天気変化情報生成ステップと、前記環境情報表示装置が前記天気変化情報を表示する天気変化情報表示ステップと、を有することを特徴とする。
【発明を実施するための最良の形態】
【００３１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３２】
（第１の実施の形態）
図１は、本発明の実施の形態である環境情報処理システム１０を示す概略図である。
図１に示すように、環境情報処理システム１０は、特定の位置である基地局位置に配置される環境情報提供装置である例えば、基地局４０と、前記基地局４０と交信することができる携帯可能な環境情報表示装置である例えば、携帯電話機２０とを有している。携帯電話機２０は、位置情報衛星である例えば、ＧＰＳ（Ｇｌｏｂａｌ  Ｐｏｓｉｔｉｏｎｉｎｇ  Ｓｙｓｔｅｍ）衛星１２ａ乃至１２dからの信号を受信し、緯度、経度及び高度等からなる位置情報を取得する。
【００３３】
この環境情報処理システム１０は、緯度に関する情報である緯度情報と、経度に関する情報である経度情報と、高度に関する情報である高度情報と、気圧に関する情報である気圧情報とを含む環境情報を処理する環境情報処理システムである。
なお、本実地の形態とは異なり、環境情報表示装置は、携帯電話機２０に限らず、ＰＨＳ、ＰＤＡ等であってもよい。
【００３４】
（基地局４０の主なハード構成について）
図２は基地局４０の主なハードウエア構成を示す概略図である。
図２に示すように、基地局４０は、例えばコンピュータを有しており、コンピュータは、バス４２を有し、バス４２には、ＣＰＵ（Ｃｅｎｔｒａｌ  Ｐｒｏｃｅｓｓｉｎｇ  Ｕｎｉｔ）４４、ＲＡＭ（Ｒａｎｄｏｍ  Ａｃｃｅｓｓ  Ｍｅｍｏｒｙ）４６やＲＯＭ（Ｒｅａｄ  Ｏｎｌｙ  Ｍｅｍｏｒｙ）４８等が配置されている。
すなわち、このバス４２はすべてのデバイスを接続する機能を有し、アドレスやデータパスを有する内部パスである。
ＣＰＵ４４は所定のプログラムの処理を行う他、バス４２に接続された記憶手段であるＲＯＭ４８等を制御する提供装置制御部である。ＲＯＭ４８は、各種プログラムや各種情報等を格納している。
ＲＡＭ４６は、プログラム処理中のメモリの内容を対比したり、プログラムを実行するためのエリアとしての機能を有する。
【００３５】
また、このバス４２には、ＧＰＳ衛星１２ａ乃至１２dからの信号を受信し、緯度、経度及び高度等からなる位置情報を測位する位置情報取得手段である例えば、基地局ＧＰＳ装置５０が接続されており、基地局４０の位置を測位できるように構成されている。
【００３６】
また、このバス４２には、基地局４０の基地局位置における気圧である特定位置気圧情報としての基地局気圧を計測するための特定位置気圧情報取得手段である例えば、気圧計５２が接続されている。
図３は、気圧計５２の構成を示す概略断面図である。
気圧計５２はデジタル式気圧高度計であって例えば、図３に示すように構成されている。
すなわち、基板５２ａ上に、中央部がくりぬかれて空洞５２ｃを形成している単結晶シリコン５２ｂが載せられている。単結晶シリコン５２ｂは真空になっており空盒として働き、大気圧Ｐを受けた単結晶シリコン５２ｂの空洞５２ｃの上部の薄い部分が変形しやすいようになっている。このため大気圧Ｐの変動により空洞５２ｃの体積が変化したとき、上部の単結晶シリコン５２ｂ１が変形し、ひずみが発生することになる。この単結晶シリコン５２ｂの上部５２ｂ１に抵抗体５２ｄ，５２ｄが埋め込まれており、この単結晶シリコンの上部５２ｂ１にひずみが発生するとその抵抗値が変化する。この抵抗値の変化を、電極５２ｅ，５２ｅを介して検出することにより、大気圧を算出する。
そして、標準大気モデルを基準として、算出した大気圧から高度を算出するのである。
なお、本実施の形態とは異なり、気圧計５２はデジタル式気圧高度計に限らずたとえば、アナログ式気圧高度計であってもよい。
【００３７】
また、図２に示すバス４２には、携帯電話機２０と電波の送受信を行い、通信するための提供装置側送受信手段である例えば、基地局側通信装置５４が接続されている。  
なお、本実施の形態とは異なり、ＧＰＳ装置５０を省略した構成としてもよい。基地局４０の位置が既知であれば、基地局４０の位置を計測する必要はないからである。
【００３８】
（基地局４０の主なソフト構成について）
図４は、基地局４０の主なソフトウエア構成を示す概略図である。
図４に示すように基地局４０は、基地局４０における気圧である基地局気圧を取得する特定位置気圧情報取得手段の一例であり、図２の気圧計５２に対応する基地局気圧測定部１４６を有する。これにより、基地局気圧を測定することができる。
基地局４０の上記各部は、提供装置制御部である例えば、基地局制御部１４２によって制御される。
【００３９】
そして、基地局４０は、基地局制御部１４２が前記基地局気圧を内容とする基地局気圧情報と、基地局位置の緯度情報、経度情報および高度情報を内容とする基地局位置情報とに基づいて、環境情報表示装置用補正情報を生成できるように構成されている。
すなわち、環境情報表示装置用補正情報は、携帯電話機２０の高度情報を補正するための高度補正情報である。基地局４０は、その高度補正情報を生成するための補正情報生成情報を格納するための補正情報生成情報格納手段である例えば、補正情報生成用データベース１４８を有する。
【００４０】
このため、基地局制御部１４２が、補正情報生成部１４８に格納された補正情報生成情報によって、高度補正情報を生成することができる。
また、基地局４０は、生成された高度補正情報を格納する補正情報格納用データベース１４９を有する。
これにより、基地局４０が高度補正情報を生成して保持するから、携帯電話機２０は、基地局４０と交信することができるかぎり、高度補正情報を取得することができる。
また、基地局４０以外に、新たに基準となる基準局を設置する必要はない。
【００４１】
さらに、基地局４０は、携帯電話機２０から高度補正情報の送信要求を受信する問い合わせ受信手段である例えば、問い合わせ受信部１５０と、携帯電話機２０へ高度補正情報を送信する高度補正情報送信手段である例えば、補正情報送信部１５２とを有する。
また、基地局４０は、図２の基地局ＧＰＳ装置５０に対応し、基地局４０の位置を測位する基地局位置計測部１４４を有し、基地局４０の高度、緯度、経度、基地局４０における気圧を計測できるようになっている。
なお、本実施の形態とは異なり、基地局位置計測部１４４を省略した構成としてもよい。基地局４０の位置が既知であれば、基地局４０の位置を計測する必要はないからである。
【００４２】
（携帯電話機２０の主なハード構成について）
図５は携帯電話機２０の主なハードウエア構成を示す概略図である。
図５に示すように、携帯電話機２０は、コンピュータを有しており、コンピュータは、バス２２を有し、バス２２には、表示装置制御部である例えば、ＣＰＵ２４、ＲＡＭ２６、ＲＯＭ２８等が接続されている。
【００４３】
また、このバス２２には、ＧＰＳ衛星１２ａ乃至１２dからの信号を受信し、緯度、経度及び高度等からなる位置情報を取得する位置情報取得手段である例えば、端末ＧＰＳ装置３０が接続されており、携帯電話機２０の位置を測位できるように構成されている。
さらに、このバス２２には、携帯電話機２０の現在位置における現在気圧情報を取得するための現在気圧情報取得手段である例えば、気圧高度計３２が接続されている。気圧高度計３２は、図３に示す基地局４０の気圧計５２と同様に構成されている。
また、このバス２２には、基地局４０と電波の送受信を行い、交信するための表示装置側送受信手段である例えば、端末側通信装置３４が接続されている。  
また、このバス２２には、携帯電話機２０の高度等の情報を画像で表示する表示装置である例えば、表示装置３６が接続されている。
【００４４】
（携帯電話機２０の主なソフト構成について）
図６は、携帯電話機２０の主なソフトウエア構成を示す概略図である。
図６に示すように、携帯電話機２０は、基地局４０に対して高度補正情報の送信要求を送信する補正情報問い合わせ送信手段である補正情報問い合わせ部１２４と、基地局４０から高度補正情報を受信する補正情報受信手段である補正情報受信部１２６とを有する。
これにより、基地局４０が生成して保持している高度補正情報を、携帯電話機２０が基地局４０と交信することができる限り、取得することができる。これは、携帯電話機２０の使用者Ａが、例えば三角点等の基準点に移動しなくても、高度補正情報を入手できることを意味する。
端末制御部１２２は図５のＣＰＵ２４に対応し、携帯電話機２０の各部を制御する表示装置制御部である。
【００４５】
携帯電話機２０は、端末制御部１２２が携帯電話機２０の現在位置における気圧である現在気圧情報の一例である端末気圧に基づいて現在高度情報の一例である端末気圧高度を生成するための現在高度情報生成情報を格納するための現在高度情報生成情報格納手段である例えば、端末気圧高度計測用データベース１２８を有する。端末気圧高度計測用データベース１２８に格納される現在高度情報生成情報は、後述する標準大気モデルを基準とした気圧と高度の関係のデータと、端末制御部１２２が、現在高度情報を算出するための演算方法のデータを含む。
【００４６】
すなわち、端末制御部１２２が、端末気圧高度計測用データベース１２８に格納された現在高度情報生成情報に基づいて生成する端末気圧高度は、標準大気モデルを基準として気圧と高度の関係を利用して算出される。
図７は、端末気圧高度計測用データベース１２８に格納されている、標準大気モデルのデータである。標準大気モデルにおいて気圧と高度の関係は曲線Ｌ２で示すとおりであるが、本実施の形態においては、曲線Ｌ２を近似処理した直線Ｌ１を利用している。直線Ｌ１は、気圧（ｈＰａ）をｘ、高度（ｍ）をｙとすると、ｙ＝−０．０９９ｘ＋９９９．２４という数式で表現することができる。
なお、標準大気モデルの利用の仕方は本実施の形態に限らず例えば、曲線Ｌ２を近似処理せずに、そのまま利用することも可能である。近似処理の方法も直線Ｌ１に限らずたとえば、さらに精密に処理することも、逆に大まかに処理することも可能である。
【００４７】
ところが、実際の環境は標準大気モデルとは異なるから、端末気圧高度は適宜補正しなければ、正確な高度を算出することができない。
そこで、本実施の形態における携帯電話機２０は、基地局４０が生成して保持している高度補正情報と端末気圧に基づいて、端末気圧高度を補正する構成になっている。具体的には、携帯電話機２０は、端末制御部１２２が、高度補正情報に含まれる基地局気圧と端末気圧との差分である気圧差情報を生成するための気圧差情報生成情報を格納するための気圧差情報生成情報格納手段の一例である気圧高度算出用データベース１３０を有している。
【００４８】
また、気圧高度算出用データベース１３０は、端末制御部１２２が気圧差情報を高度情報である高度差情報に変換するための情報である気圧高度差情報変換情報を格納するための気圧高度差情報変換情報格納手段の一例でもある。
さらに、気圧高度算出用データベース１３０は端末制御部１２２が高度差情報に基づいて端末気圧高度を修正し修正現在高度情報の一例である補正後端末気圧高度を生成するための、修正現在高度情報生成情報を格納するための修正現在高度情報生成情報格納手段の一例でもある。
【００４９】
すなわち、携帯電話機２０は、端末制御部１２２が、携帯電話機２０の現在位置における端末気圧と基地局気圧との差である気圧差情報を生成し、その気圧差情報を携帯電話機２０と基地局４０との高度の差である高度差に変換し、その高度差を基地局４０の高度に加減することによって、端末気圧高度を補正して、補正後端末気圧高度を算出するためのデータを格納する気圧高度算出用データベース１３０を有しているのである。
これにより、携帯電話機２０は、端末気圧高度を補正して、正確な気圧高度である補正後端末気圧高度を取得することができるのである。
【００５０】
このため、前記携帯電話機２０の使用者は、正確な高度の基準となる基準点であるたとえば、三角点などに移動しなくても、高度補正を行うことができる。すなわち、携帯電話機２０が基地局４０と通信可能な領域に位置する限り、高度補正が可能である。
ここで、基地局４０は携帯電話機２０と交信可能な領域に存在するから、基地局４０の位置と携帯電話機２０の位置とでは、環境気圧は略同一である。これは、基地局気圧と端末気圧の差は、環境気圧の影響は受けず、高度差のみが反映していることを意味する。
よって、基地局気圧と端末気圧の差を高度差に変換し、この高度差を基地局４０の既知の高度に加減することで、正確な携帯電話機２０の高度である補正後端末気圧高度を取得することができるのである。
【００５１】
これにより、本実施の形態によれば、基準となる位置の高度を正確に把握し、さらに、環境気圧の影響のない環境情報処理システム、環境情報提供装置、環境情報表示装置を提供することができるのである。
なお、端末制御部１２２は、端末気圧高度計用データベース１２８に格納された情報に基づいて、端末気圧のみならず、端末気圧高度も測定するから、万一、携帯電話機２０が基地局４０と交信できない状況であっても、補正前の気圧高度を取得することができる。
ただし、本実施の形態とは異なり、端末制御部１２２は、端末気圧高度計測用データベース１２８に格納された情報に基づいて、端末気圧高度を測定せずに、端末気圧だけを測定する構成としてもよい。
【００５２】
携帯電話機２０はまた、図１の位置情報衛星１２ａ乃至１２ｄからの信号を取得するための位置情報取得手段である例えば、端末位置測定部１３４を有する。
そして、携帯電話機２０は、端末制御部１２２が補正後端末気圧高度と基地局４０の位置情報とに基づいて、携帯電話機２０の初期位置情報を生成するための初期位置情報生成情報を格納するための初期位置情報生成情報格納手段である例えば、初期位置生成用データベース１３１を有する。具体的には、端末制御部１２２が、初期位置生成用データベース１３１に格納された初期位置情報生成情報に基づいて、補正後気圧高度と、基地局４０の緯度及び経度を、携帯電話機２０の初期位置として生成する。
さらに、携帯電話機２０は、初期位置情報を端末位置測定部１３４に入力するための初期位置情報入力手段である例えば、ＧＰＳ初期位置入力部１３２とを有する。
【００５３】
携帯電話機２０の初期位置の情報は、携帯電話機２０の端末位置測定部１３４が図１のＧＰＳ衛星１２a乃至１２dを探索するための初期データとして必要な情報である。初期位置の情報がない場合には、携帯電話機２０がＧＰＳ衛星１２ａ乃至１２ｄを探索するための時間が長く必要となり、携帯電話機２０の位置の測定が遅れるのみならず、携帯電話機２０の動力源である例えば、バッテリの電力の消耗がその分多くなるのである。
【００５４】
携帯電話機２０はまた、端末位置測定部１３４によって取得した携帯電話機２０の位置情報を表示する表示手段である例えば、表示部１３６を有するから、携帯電話機２０の位置は、表示部１３６に表示される。これにより、携帯電話機２０の使用者Ａは、自己の位置を知ることができる。
携帯電話機２０の上記各部は、端末制御部１２２によって制御される。
【００５５】
（第１の実施形態の環境情報処理システム１０の動作例等について）
以上のように、環境情報処理システム１０は構成されるが、以下その動作例を説明する。
図８は環境情報処理システム１０の動作例を示す概略フローチャートである。
図９は基地局の位置情報、気圧情報の一例等を示す図である。
ステップＳＴ１は基地局４０の緯度、経度、高度を計測する基地局位置計測ステップであり、図４の基地局位置計測部１４４が、図２の基地局ＧＰＳ装置５０によって基地局位置を計測する。これにより、基地局４０の緯度、経度、高度からなる基地局位置情報を取得することができる。
図９（ａ）に示すように、緯度はα１、経度はβ１、高度はγ１である。本実施の形態では、γ１は２００メートル（ｍ）とする。
なお、基地局４０の位置が既知である場合には、基地局位置計測ステップＳＴ１は省略してもよい。
【００５６】
ステップＳＴ２は基地局４０における気圧である基地局気圧を取得する特定位置気圧情報取得ステップである例えば、基地局気圧計測ステップであり、図４の基地局気圧測定部１４６が、図２の気圧計５２によって基地局における気圧である基地局気圧を測定し、基地局気圧情報を取得する。
図９（ｂ）に示すように、基地局気圧はｐ１であり、本実施の形態ではｐ１は９６６ヘクトパスカル(hPa)であるとする。  
【００５７】
ステップＳＴ３は、端末制御部１２２がステップＳＴ１で取得した基地局位置情報と、ステップＳＴ２で計測した基地局気圧情報とに基づいて、携帯電話機２０の高度情報を補正するための高度補正情報を生成する補正情報生成ステップの一例であり、図４の基地局制御部１４２が、補正情報生成用データベース１４８に格納された補正情報生成情報に基づいて、高度補正情報を生成する。
【００５８】
具体的には、図９（ｃ）に示すように、基地局位置計測ステップＳＴ１で計測した位置情報のうち高度情報であるγ１と基地局気圧計測ステップＳＴ２で取得した基地局気圧情報であるｐ１を一組にする処理をする。本実施の態様では、高度２００メートル、気圧９６６ヘクトパスカルという一組のデータが高度補正情報である。
基地局４０は、この高度補正情報を図４の補正情報格納用データベース１４９に保持し、携帯電話機２０からの問い合わせを待つ。
これにより、基地局４０は、基地局４０と交信可能な領域に存在する端末のすべてに対して高度補正情報を提供することができる状態となる。  
【００５９】
上記ステップＳＴ１乃至ステップＳＴ３は、基地局４０において継続的に行い、高度補正情報を準備しておく。
ステップＳＴ１乃至ステップＳＴ３は常に連続して行っていてもよい。ただし、たとえば、基地局位置測定ステップＳＴ１は１週間に一度行い、基地局気圧測定ステップＳＴ２は１５分ごとに行い、補正情報生成ステップＳＴ３は１５分ごとに行うなど、各ステップを行う組み合わせや、各ステップを行う時間間隔は、適宜調整可能である。
【００６０】
ステップＳＴ４は、携帯電話機２０の現在位置における気圧である端末気圧及び、携帯電話機２０の気圧高度である端末気圧高度を測定する端末気圧高度測定ステップである。
すなわち、端末気圧高度測定ステップＳＴ４は、携帯電話機２０の現在位置における気圧である端末気圧を取得する現在気圧情報取得ステップの一例であり、また、端末制御部１２２が現在気圧情報に基づいて端末気圧高度を生成する現在高度情報生成ステップの一例でもある。
図１の携帯電話機２０が使用者Ａによって操作されると、携帯電話機２０は気圧計測を開始する。具体的には、図６の端末制御部１２２が、端末気圧高度計測用データベース１２８の情報に基づいて、端末気圧高度を算出する。
図１０は、携帯電話機２０の端末気圧及び、端末気圧高度の一例を示す図である。
図１０（ａ）に示すように、端末気圧はｐ２であり、端末気圧高度はγ２である。本実施の形態では、ｐ２は８９９ヘクトパスカル、γ２は７００メートルとする。
【００６１】
ここで得られる気圧高度は、実際の大気圧（環境気圧）によって影響されるものであるから、必ずしも正確ではない。気圧高度計３２は、標準大気を前提として、気圧から高度を計測するものであるから、実際の大気が標準大気と異なる場合には、正確な高度を計測することができない。したがって、気圧高度計３２が計測した気圧高度を補正する必要がある。
【００６２】
そこで、気圧高度計測ステップＳＴ４を実行する一方で、携帯電話機２０は、基地局４０に対して高度補正情報の送信要求を送信する補正情報送信要求送信ステップＳＴ５を開始する。具体的には、図６の補正情報問い合わせ部１２４が、図５の端末側通信装置３４によって、基地局４０に補正情報の問い合わせをする。
【００６３】
ステップＳＴ６は、携帯電話機２０から高度補正情報の送信要求を受信する補正情報送信要求受信ステップであり、携帯電話機２０から送信された高度補正情報の送信要求を、図２の基地局側通信装置５４によって図４の問い合わせ受信部１５０が受信する。
【００６４】
ステップＳＴ７は、基地局４０が携帯電話機２０に高度補正情報を送信する補正情報送信ステップであり、高度補正情報生成ステップＳＴ３において生成して図４の補正情報格納用データベース１４９に格納した高度補正情報を、補正情報送信部１５２が、図２の基地局側通信装置５４によって、携帯電話機２０に送信する。
【００６５】
ステップＳＴ８は、携帯電話機２０が基地局４０から高度補正情報を受信する補正情報受信ステップであり、ステップＳＴ７において基地局４０から送信された気圧高度補正情報を、図６の補正情報受信部１２６が、図５の端末側通信装置３４によって受信する。
したがって、携帯電話機２０は、例えば三角点である基準点に移動しなくても、端末気圧高度を補正するための高度補正情報を取得することができるのである。
ステップＳＴ８では、高度補正情報と同時に、基地局位置情報も取得する。
【００６６】
ステップＳＴ９は、ステップＳＴ８で取得した高度補正情報に基づいて、携帯電話機２０の端末気圧高度を補正する気圧高度算出ステップであり、ステップＳＴ４において計測した端末気圧高度を、ステップＳＴ８において受信した気圧高度補正情報を用いて補正する。すなわち、気圧高度算出ステップＳＴ９は、端末制御部１２２が、補正情報の基地局気圧情報と端末気圧情報に基づいて、基地局気圧情報と端末気圧情報との差分である気圧差情報を生成する気圧差情報生成ステップの一例である。
【００６７】
ステップＳＴ９はまた、端末制御部１２２が気圧差情報を高度情報である高度差情報に変換する気圧高度差情報変換ステップの一例でもあり、さらに、端末制御部１２２が高度差情報に基づいて現在高度情報を修正し修正現在高度情報を生成する修正現在高度情報生成ステップの一例でもある。
【００６８】
具体的には、図６の端末制御部１２２が、気圧高度算出用データベース１３０に格納された気圧高度補正情報生成情報に基づいて、正確な気圧高度を得るための例えば、以下のような演算を行う。
図１０に示すように、ステップＳＴ４において計測した気圧ｐ２は、８９９ヘクトパスカル（hPa）であった。一方で、ステップＳＴ８において受信した気圧高度補正情報は、基地局４０の高度γ１である２００メートル（ｍ）と基地局４０における気圧ｐ１である９６６ヘクトパスカル(hPa)である。
【００６９】
図６の気圧高度算出用データベース１３０は、図７に示すように標準大気における気圧と高度の関係のデータを格納している。図７の表は、ｙ軸に気圧（ｈＰａ）、ｘ軸に高度（ｍ）を表している。気圧高度算出用データベース１３０はまた、気圧と高度の関係を示す曲線Ｌ１を近似処理したｙ＝−０.０９９ｘ＋９９９．２４という式もデータとして格納している。例えばたとえば、ｘが１０００であればｙは約９００．２４であり、ｘが１０１０であればｙは約８９９．２５である。これから、ｙが１小さくなると、つまり気圧が１ヘクトパスカル(hPａ)低くなると、ｘは１０大きくなる、つまり高度が１０メートル（ｍ）高くなるという関係がわかる。気圧ｙから高度ｘを導くためには、上記式をｘ＝（９９９．２４―ｙ）／０．０９９と変形すればよい。
【００７０】
端末制御部１２２は、気圧高度算出用データベース１３０の情報に基づいて、まず、補正情報に含まれる基地局４０の気圧ｐ１である９６６ヘクトパスカル(hPa)と携帯電話機２０の気圧ｐ２である８９９ヘクトパスカル(hPa)との差分である気圧差６７ヘクトパスカル(hPa)を得る、すなわち、基地局気圧情報と端末気圧情報との差分である気圧差情報を生成する気圧差情報生成ステップを実行する。
【００７１】
次に、端末制御部１２２は、気圧高度算出用データベース１３０に格納した図７に示す標準大気における気圧と高度の関係のデータに基づいて、気圧差情報を高度情報である高度差情報に変換する気圧高度差情報変換ステップを実行し、上記気圧差情報を高度差情報に変換する。つまり、上記で、１ヘクトパスカル(hPa)が約１０メートル（ｍ）に相当することがわかっているから、６７ヘクトパスカル（hPa）の気圧差を６７０メートル（ｍ）の高度差に変換する。
【００７２】
そして、端末制御部１２２が高度差情報に基づいて現在高度情報の一例である端末気圧高度を修正し修正現在高度情報を生成する修正現在高度情報生成ステップを実行する。すなわち、基地局４０と携帯電話機２０の高度差が６７０メートル（ｍ）であるから、これを基地局４０の高度γ１である２００メートルに加えることにより、携帯電話機２０の補正後端末気圧高度γ２１である高度約８７０メートル（ｍ）を得るのである。
【００７３】
そして、端末制御部１２２は、ステップＳＴ４で取得した端末気圧高度γ２（７００ｍ）を、補正後端末気圧高度γ２１（８７０ｍ）に置換することで、端末気圧高度γ２を修正するのである。なお、気圧高度算出用データベース１３０には、端末制御部１２２が、端末気圧高度γ２を補正後端末気圧高度γ２１に置換する処理をするための情報も格納している。
【００７４】
端末制御部１２２は、上記に内容の演算を例えば、気圧高度算出部１３０に格納されている情報の１つである、ｒ２１＝ｒ１＋{（９９９．２４−ｐ２）／０．０９９−（９９９．２４−ｐ１）／０．０９９}という数式に基づいて、実行する。ｒ１は、基地局４０の既知の高度２００メートル、ｐ２は携帯電話機２０の実際の気圧である端末気圧８９９ヘクトパスカル、ｐ１は基地局の実際の気圧である基地局気圧９６６ヘクトパスカルであり、この数式からはｒ２１＝８７６．７６（ｍ）という携帯電話機２０の正確な気圧高度を得ることができる。
【００７５】
上記の演算方法は、一例であって、基地局４０の実際の高度及び基地局気圧と、携帯電話機２０の実際の気圧である端末気圧と、標準大気における気圧と高度の関係に基づいて、計算していれば他の計算方法を用いることもできる。
【００７６】
ここで、基地局４０は携帯電話機２０と交信可能な領域に存在するから、基地局４０の位置と携帯電話機２０の位置とでは、環境気圧は略同一である。これは、基地局気圧と端末気圧の差は、環境気圧の影響は受けず、高度差のみが反映していることを意味する。
これにより、本実施の形態によれば、基準となる位置の高度を正確に把握し、さらに、環境気圧の影響のない環境情報処理システムを提供することができるのである。
【００７７】
ステップＳＴ１０は、携帯電話機２０の端末制御部１２２が、図６の初期位置生成用データベースに格納された初期位置情報生成情報に基づいて、補正後端末気圧高度と、基地局４０の位置情報とから、携帯電話機２０の初期位置情報を生成する初期位置情報生成ステップの一例である。
【００７８】
具体的には、ステップＳＴ８において取得しておいた図９（ａ）の基地局位置情報のうち緯度情報α１及び経度情報β１と、ステップＳＴ９で算出した補正後端末気圧高度γ２１に基づいて、初期位置情報を生成する。すなわち、初期位置情報の内容は、緯度α１、経度β１、高度γ２１というものである。
初期位置情報として、高度は補正後端末気圧高度γ２１であるから正確である。緯度及び経度については基地局４０の基地局位置情報を使用するが、基地局４０は携帯電話機２０と交信可能な限定された領域に存在するから、ＧＰＳ測位のための初期位置としては技術的な問題は生じないのである。
【００７９】
ステップＳＴ１１は、ステップＳＴ１０で生成した初期位置情報をＧＰＳ初期位置入力部１３２に入力する初期位置情報入力ステップである。具体的には、図６のＧＰＳ初期位置入力部１３２が、ステップＳＴ１０によって生成した初期位置情報を図５の端末ＧＰＳ装置３０に入力する。
【００８０】
ステップＳＴ１２は、位置情報衛星からの信号を取得する位置情報取得ステップの一例である。具体的には、図６の端末位置測定部１３４が、携帯電話機２０の位置の測位を開始する。ステップＳＴ１１によって、高度を含めた正確な初期位置が入力されているので、図６の端末位置測定部１３４は、端末ＧＰＳ装置３０によって、迅速に位置情報衛星１２a乃至１２dを捕捉し、携帯電話機２０の位置を測位することができる。
【００８１】
携帯電話機２０は携帯用の機器であるから、その動力源であるバッテリの電力容量も限定されているが、正確な初期位置により端末位置測定部１３４が迅速に、位置情報衛星１２ａ乃至１２ｄを捕捉して、携帯電話機２０の位置を測位するから、バッテリの消耗も少なくすることができるのである。
【００８２】
ステップＳＴ１３は、ステップＳＴ１２において取得した携帯電話機２０の位置情報を表示する表示ステップの一例であり、図６の表示部１３６が、図５の表示装置３６によって、携帯電話機２０の位置を表示する。これにより、使用者Ａは、携帯電話機２０の位置、つまり、自己の位置を知ることができる。
【００８３】
以上の環境情報処理方法により、登山などで携帯電話機２０の高度が急激に上昇、下降を繰り返す場合であっても、正確に携帯電話機２０の高度を含む位置、つまり自己の位置を知ることができる。
また、荒天によりＧＰＳ測位ができない場合であっても、基地局４０との交信ができる環境であれば、基地局位置情報と高度補正情報によって、携帯電話機２０の高度を算出し、取得することができる。
【００８４】
なお、本実施の形態とは異なり、ステップＳＴ４においては、端末気圧高度は測定せずに、端末気圧だけを測定してもよい。    
【００８５】
（第２の実施の形態）
次に、第２の実施形態について説明する。第２の実施形態における基地局４０及び携帯電話機２０の構成は、上記第１の実施形態の環境情報処理システム１０と多くの構成が共通するため共通する部分は同一の符号等とし、説明を省略し、以下、相違点を中心に説明する。
【００８６】
図１１は、第２の実施の形態の携帯電話機２０の主なソフト構成を示す概略図である。
図１２は、第２の実施の形態の携帯電話機２０が取得及び記録するデータの一例を示す図である。  
第２の実施形態では、図１１に示すように、携帯電話機２０のソフト構成において、第１の実施形態とは異なる点がある。
【００８７】
携帯電話機２０は、端末制御部１２２が時間経過に対応する気圧の変化である時間気圧変化情報を生成するための情報である時間気圧変化情報生成情報を格納するための時間気圧変化情報生成情報格納手段である例えば、時間気圧変化算出用データベース２００を有する。
【００８８】
時間気圧変化算出用データベース２００は、端末制御部１２２に時刻を測定させる情報も格納している。端末制御部１２２は、端末気圧高度計測用データベース１２８の情報に基づいて計測した気圧変化Ｄ２（見かけの気圧変化と呼ぶ）を、第１の時間経過（時刻変化）Ｄ１とともに、例えば１２（ａ）に示すようなデータとして作成し、時間気圧変化記録用データベース２００ａに記録するように構成されている。
気圧変化Ｄ２は、環境気圧の変化と携帯電話機２０の移動に伴う高度変化による気圧の変化を含んでおり、いわば、見かけの気圧変化である。
【００８９】
携帯電話機２０はまた、端末制御部１２２が時間経過に対応する高度の変化である時間高度変化情報を生成するための情報である時間高度変化情報生成情報を格納するための時間高度変化情報生成情報格納手段である例えば、時間高度変化算出用データベース２０１を有する。時間高度変化算出用データベース２０１は端末制御部１２２に時刻を測定させる情報も格納している。
【００９０】
端末制御部１２２は、端末気圧高度計測用データベース１２８の情報に基づいて計測した高度変化Ｄ４を、第２の時間経過（時刻変化）Ｄ３とともに、例えば図１２（ｂ）に示すようなデータとして作成し、時間高度変化記録用データベース２０１ａに記録するように構成されている。
【００９１】
携帯電話機２０はまた、端末制御部１２２が前記高度変化情報に対応する気圧の変化である高度気圧変化情報を生成するための情報である高度気圧変化情報生成情報を格納するための高度気圧変化情報生成情報格納手段である例えば、高度気圧変化算出用データベース２０２を有する。
【００９２】
端末制御部１２２は、高度気圧変化算出用データベース２０２の情報によって、携帯電話機２０が図７に示すデータとして記憶している標準大気における高度と気圧の関係から、例えば、高度が１０メートル（ｍ）高くなれば、気圧が１ヘクトパスカル（hPa）低くなるものとして、図１２(b)に示すように、第２の時間経過Ｄ３に対応させて、高度変化による気圧変化Ｄ５を演算し、高度気圧変化記録用データベース２０２ａに記録する。
【００９３】
携帯電話機２０はまた、端末制御部１２２が時間気圧変化情報と前記高度気圧変化情報に基づいて大気気圧の変化の情報である大気気圧変化情報を生成するための大気気圧変化情報生成情報を格納するための大気気圧変化情報生成情報格納手段である例えば、修正気圧変化算出用データベース２０４を有する。
端末制御部１２２は、修正気圧変化算出用データベース２０４の情報に基づいて、時間変化記録用データベース２００ａが記録している図１２（ａ）の時刻と見かけの気圧変化のデータを、高度気圧変化記録用データベース２０２ａが記録している図１２（ｂ）の高度による気圧変化によって補正する。ここで、見かけの気圧変化Ｄ２は、第１の時間経過Ｄ１に対応して記録されており、高度変化による気圧変化Ｄ５は第２の時間経過Ｄ３に対応して記録されている。よって、一定の時間経過（時刻変化）における見かけの気圧変化Ｄ２を、対応する時間経過（時刻変化）における高度変化による気圧変化Ｄ５によって、補正することができるのである。
【００９４】
端末制御部１２２は、例えば、以下のような演算を行う。
図１２（ａ）の矢印Ｍ１に示すように、時間気圧変化記録用データべース２００ａが時刻１１：００から１２：００の間において３０ヘクトパスカル(hPa)の気圧低下を記録している。一方、同時刻間において、図１２（ｂ）の矢印Ｍ２に示すように、高度気圧変化記録用データベース２０２ａが２０メートルの高度低下に伴い２ヘクトパスカル(hPa)の気圧の上昇を記録している。
【００９５】
端末制御部１２２は、修正気圧変化算出用データベースの情報によって、時間気圧変化記録用データベース２００ａに記録されている３０ヘクトパスカル(hPa)の気圧低下を、高度気圧変化記録用データベース２０２ａに記録されている高度変化による２ヘクトパスカル(hPa)の気圧上昇によって補正する演算をおこない、真の気圧低下は３２ヘクトパスカル(hPa)であるという結果を得る。
【００９６】
このため、時間気圧変化情報に環境気圧の変化の情報と高度による気圧の変化の情報が含まれている場合でも、時間気圧変化情報と高度気圧変化情報を照合することによって、時間気圧変化情報を環境気圧の変化だけを反映した大気気圧変化情報として算出することができる。
さらに、端末制御部１２２は、この大気気圧変化情報を修正気圧変化記録用データベース２０４ａに記録することができる。
また、端末制御部１２２は、この大気気圧変化情報を表示部１３６に表示することができる。
【００９７】
これにより、携帯電話機２０の使用者は、移動によって高度が変化しても、正確な環境気圧の変化を知ることができ、例えば、低気圧傾向と知った場合には、天気が曇りや雨に変化することを予測することができる。
特に、高度が急激に変化する登山の際などでも、気圧計が移動した場合の気圧変化を考慮に入れて、正確な気圧傾向の把握ができるのである。
【００９８】
携帯電話機２０はまた、端末制御部１２２が大気気圧変化情報に基づいて天気変化の予測である天気変化情報を生成するための情報である天気変化情報生成情報を格納する天気変化情報生成情報格納手段である例えば、天気予測用データベース２０６を有する。また、携帯電話機２０は、端末制御部１２２が、天気予測用データベース２０６の情報に基づいて予測した天気変化情報を表示する予測天気表示手段である例えば、表示部１３６を有する。
図１３は、天気予報のアプリケーションの一例を示す図であり、図１４は、天気予報の画面表示例を示す図である。
【００９９】
天気予測用データベース２０６は、天気変化情報生成情報であるたとえば、図１３に示す天気変化予測アプリケーションを有しており、端末制御部１２２が気圧変化によって天気の変化を予測できるように構成されている。
本実施の形態の天気変化予測アプリケーションには、過去３時間の傾向が気圧変化情報２０６ａとして記録される。そして、気圧変化に対応する天気の予報、天気の予報に対応する表示が記録されている。
これにより、端末制御部１２２が天気変化予測アプリケーションによって、大気変気圧変化情報を予報情報２０６ｂと対応させ、その予防情報２０６ｂを表示部１３６に表示させることができる。また、画像表示２０６ｃを表示させることもできる。
【０１００】
例えば、端末制御部１２２が、修正気圧変化記録用データベース２０４ａに記録された過去３時間の大気気圧変化の情報によって取得した大気気圧の変化傾向に基づいて、その変化傾向が例えば５ヘクトパスカル（ｈＰａ）以上の気圧上昇であれば（図１３の２０６ａ１）、かなり急速に回復に向かうと予報し（２０６ｂ１）、図１４に示すように、その予報情報２０６ｂ１及び画像表示２０６ｃ１を表示部１３６に表示する。
【０１０１】
また、図１４に示すように、気圧変化の傾向をグラフ１３６ｄで表示してもよい。
さらに、予報情報２０６ｂ１は、携帯電話機２０から音声として出力するように構成してもよい。
以上の構成により、携帯電話機２０の使用者は、正確な天気変化を知ることができるのである。  
なお、表示部１３６は、天気予報以外の情報も表示することができ、例えば携帯電話機２０の位置情報も表示できる。
【０１０２】
（第２の実施形態の環境情報処理システム１０の動作例等について）
以上のように、第２の実施形態の環境情報処理システム１０は構成されるが、以下その動作例を説明する。
図１５は環境情報処理システム１０の動作例を示す概略フローチャートである。
第１の実施形態のステップＳＴ１乃至ステップＳＴ１３に引き続いて、ステップＳＴ２１が開始される。
ステップＳＴ２１は、気圧傾向測定開始ステップであり、使用者Ａの操作によって携帯電話機２０は気圧傾向の測定を開始する。
【０１０３】
ステップＳＴ２２は、端末制御部１２２が時間経過に対応する気圧の変化である時間気圧変化情報を生成する時間気圧変化情報生成ステップの一例である。具体的には、図１１の端末制御部１２２が端末気圧高度計測用データベースの情報に基づいて気圧を測定し、端末制御部１２２が時間気圧変化算出用データベース２００に格納された時間気圧変化情報生成情報に基づいて、時間経過に対応する気圧変化を取得し、時間気圧変化記録用データベース２００ａに記録する。
【０１０４】
携帯電話機２０の位置は、使用者Ａの位置変化にともなって変化しているから、時間気圧変化記録用データベース２００ａに記録される気圧変化は、実際の大気の気圧変化と携帯電話機２０の高度位置の変化による気圧変化を含んでいる。つまり、実際の大気の気圧変化を純粋に現すものではなく、いわば、見かけの気圧変化である。
【０１０５】
ステップＳＴ２３は、端末制御部１２２が時間経過に対応する高度の変化である時間高度変化情報を生成する時間高度変化情報生成ステップの一例である。具体的には図１１の端末制御部１２２が、端末位置測定部１３４が計測した高度と、時間高度変化算出用データベース２０１に格納された時間高度変化情報生成情報に基づいて、時間経過に対応する高度の変化である時間高度変化情報を生成し、時間高度変化記録用データベース２０１ａに記録する。
【０１０６】
ステップＳＴ２４は、端末制御部１２２が高度変化情報に対応する気圧の変化である高度気圧変化情報を生成するための情報である高度気圧変化情報を生成する高度気圧変化情報生成ステップの一例である。具体的には、端末制御部１２２が図１１の高度気圧変化算出用データベース２０２に格納された高度気圧変化情報生成情報に基づいて、高度変化による気圧の変化を算出し、高度気圧変化記録用データベース２０２ａに記録する。
【０１０７】
ステップＳＴ２５は、端末制御部１２２が時間気圧変化情報と高度気圧変化情報に基づいて大気気圧の変化の情報である大気気圧変化情報を生成する大気気圧変化情報生成ステップの一例である。具体的には、端末制御部１２２が図１１の修正気圧変化算出用データベース２０４に格納された大気気圧変化情報生成情報に基づいて、ステップＳＴ２２において計測して時間経過とともに記録している見かけの気圧変化を、ステップＳＴ２４において算出した高度変化による気圧の変化によって補正することにより、大気気圧変化情報を生成し、修正大気気圧変化記録用データベース２０４ａに記録する。
【０１０８】
ステップＳＴ２６は、端末制御部１２２が大気気圧変化情報に基づいて天気変化の予測である天気変化情報を生成する天気変化情報生成ステップの一例である。具体的には、端末制御部１２２が図１１の天気予測用データベース２０６に格納された天気変化情報生成情報によって、ステップＳＴ２５によって生成した大気気圧変化情報に基づいて、天気の変化を予測する。
【０１０９】
端末制御部１２２は、天気予測用データベース２０６に格納されている例えば、図１３に示す天気予報のアプリケーションによって端末制御部１２２に天気の変化を予想する。
本実施の形態の天気予報アプリケーションは、過去３時間の傾向を気圧変化情報２０６ａとして記録し、気圧変化情報に予報情報２０６ｂを対応させ、その予報情報２０６ｂを表示部１３６に表示させるようになっている。さらに、画像表示２０６ｃも表示部１３６に表示さえることができる。
【０１１０】
ステップＳＴ２７は、天気予測ステップＳＴ２６において予測された天気変化情報を、例えば図１４に示すように、図１１の表示部１３６が図５の表示装置によって表示する、天気表示ステップの一例である。
表示部１３６は、天気変化情報を、予報情報を表示２０６ｂ及び画像２０６ｃとして表示する。
【０１１１】
例えば、端末制御部１２２が修正気圧変化算出用データベース２０４の情報に基づいて算出した大気気圧の変化が例えば、５ヘクトパスカル以上の気圧上昇であれば（２０６ａ１）、かなり急速に回復に向かうと予報し（２０６ｂ１）、図１４に示すように、その予報情報２０６ｂ１、及び画像表示２０６ｃ１を表示部１３６に表示する。
【０１１２】
以上の構成により、時間気圧変化情報に環境気圧の変化の情報と高度による気圧の変化の情報が含まれている場合でも、時間気圧変化情報と前記高度気圧変化情報を照合することによって、時間気圧変化情報を環境気圧の変化だけを反映した大気気圧変化情報として算出することができる。
【０１１３】
さらに、天気予測ステップと、予測天気表示ステップを有するから、携帯電話機２０の使用者は、携帯電話機２０が予測した予測天気を知ることができるのである。
これにより、携帯電話機２０の使用者は、移動によって高度が変化しても、正確な環境気圧の変化を知ることができ、さらに、例えば、低気圧傾向である場合には、天気が曇りや雨に変化するという予測を知ることができるのである。
【０１１４】
本発明は、上述の各実施の形態に限定されない。さらに、上述の各実施の形態は、相互に組み合わせて構成するようにしてもよい。
例えば、本発明の環境情報処理システム、環境情報提供装置、環境情報表示装置、及び環境情報処理方法によれば、登山などで著しく変化する条件であっても正確な気圧変化が把握できるから、移動端末単体での天気予報サービスに利用が可能である。
あるいは、気圧基地局において、本発明の携帯電話機２０で行ったのと同様の環境情報処理システム、環境情報提供装置、環境情報表示装置、及び環境情報処理方法を用いることにより、携帯電話キャリア会社が独自に天気予報サービスなどを提供することができる。
【図面の簡単な説明】
【０１１５】
【図１】本発明の実施の形態である環境情報処理システム処理システムを示す概略図である。
【図２】基地局の主なハードウエア構成を示す概略図である。
【図３】気圧計の構成を示す概略断面図である。
【図４】基地局の主なソフトウエア構成を示す概略図である。
【図５】携帯電話機の主なハードウエア構成を示す概略図である。
【図６】携帯電話機の主なソフトウエア構成を示す概略図である。
【図７】データベースに格納されている、標準大気モデルのデータである。
【図８】環境情報処理システムの動作例を示す概略フローチャートである
【図９】基地局の位置情報、気圧情報の一例等を示す図である。
【図１０】携帯電話機の端末気圧及び、端末気圧高度の一例を示す図である。
【図１１】携帯電話機の主なソフト構成を示す概略図である。
【図１２】携帯電話機が取得及び記録するデータの一例を示す図である。
【図１３】天気予報のアプリケーションの一例を示す図である。
【図１４】天気予報の画面表示例を示す図である。
【図１５】環境情報処理システム１０の動作例を示す概略フローチャートである。
【符号の説明】
【０１１６】
１０・・・環境情報処理システム、１２ａ乃至１２ｄ・・・ＧＰＳ衛星、２０・・・携帯電話機、３０・・・端末ＧＰＳ装置、３２・・・気圧高度計、３４・・・端末側通信装置、４０・・・基地局、５０・・・基地局ＧＰＳ装置、５２・・・気圧計、５４・・・基地局側通信装置、１２２・・・端末制御部、１２４・・補正情報問い合わせ部、１２６・・・補正情報受信部、１２８・・・端末気圧高度計測用データベース、１３０・・・気圧高度算出用データベース、１３１・・・初期位置生成用データベース、１３２・・・ＧＰＳ初期位置入力部、１３４・・・端末位置測定部、１４２・・・基地局制御部、１４４…基地局位置計測部、１４６・・・基地局気圧計測部、１４８・・・補正情報生成用データベース、１５０・・・問い合わせ受信部、１５２・・・補正情報送信部
【図１】
2005195534.tif 000003
【図２】
2005195534.tif 000004
【図３】
2005195534.tif 000005
【図４】
2005195534.tif 000006
【図５】
2005195534.tif 000007
【図６】
2005195534.tif 000008
【図７】
2005195534.tif 000009
【図８】
2005195534.tif 000010
【図９】
2005195534.tif 000011
【図１０】
2005195534.tif 000012
【図１１】
2005195534.tif 000013
【図１２】
2005195534.tif 000014
【図１３】
2005195534.tif 000015
【図１４】
2005195534.tif 000016
【図１５】
2005195534.tif 000017